(57)【特許請求の範囲】
【請求項１】
鍵支持部を支点として上下方向に回動可能な複数の白鍵及び黒鍵と、基板に敷設した配線パターンから成り前記複数の各鍵に対応する短冊細片状の固定接点と、押鍵により駆動され前記複数の各鍵に対応する可動接点とを備え、前記可動接点が前記固定接点に当接することで前記各鍵の押鍵動作を検出するようにした鍵盤装置のスイッチ構造であって、
前記複数の各鍵が白鍵であるか黒鍵であるかに応じて、あるいは、前記各鍵の形状や想定される押鍵位置に基づく対応する可動接点の傾き発生方向に応じて、前記各鍵に対応する固定接点の細片長軸の方向を規定することで、少なくとも２種方向に前記配線パターンの形態を設定したことを特徴とする鍵盤装置のスイッチ構造。
【発明の詳細な説明】
【０００１】
【発明の属する技術の分野】
本発明は、配線パターンから成る固定接点を備え、押鍵により可動接点が固定接点に当接して押鍵動作を検出するようにした鍵盤装置のスイッチ構造に関する。
【０００２】
【従来の技術】
従来、配線パターンから成る固定接点を備え、押鍵により可動接点を駆動し、可動接点が固定接点に当接して例えば対の配線パターンを短絡することにより押鍵動作を検出するようにした鍵盤装置のスイッチ構造が知られている。
【０００３】
このスイッチ構造の多くでは、固定接点の対の配線パターンは基板上に設けられ、例えば一方の短冊細片（あるいは「長尺」とも呼称する）と他方の短冊細片とが略平行に隣接し、外観が下駄歯状もしくは櫛歯状になっている。一方、各鍵は、鍵支持部を支点として上下方向に回動可能にされており、可動接点は鍵（通常は鍵の下面に備えたアクチュエータ部）によって駆動され、押鍵されると可動接点の下面に備えた導電部が固定接点と離接する。そして当接時に隣接する配線パターン同士を上記導電部が短絡することにより、その鍵のオン、オフが検出される。スイッチ構造は一般に、各鍵毎に設けられる。
【０００４】
また、従来のスイッチ構造では、押鍵検出精度を維持するべく、鍵の下面（アクチュエータ部）と基板上の固定接点とは、押鍵時（正確には、可動接点が固定接点に当接するとき）に互いにほぼ平行になるように設定されているものが多い。この設定は、通常の押鍵態様（押鍵強さ、押鍵位置、押圧方向等）を想定してなされている。一方、固定接点の対の配線パターンの形態、例えば両細片の延設方向等については、鍵毎に異ならせる等の設定はしておらず、黒鍵、白鍵双方を含め全鍵について同一の形態に設定しているのが通常である。
【０００５】
【発明が解決しようとする課題】
しかしながら、鍵の形状は、白鍵と黒鍵で異なるし、白鍵同士でも異なり、従ってスイッチ部の位置、鍵支持部の位置、及び押鍵位置の相互関係が鍵毎に異なる。また、実際の押鍵態様は様々であり、鍵の端部での押鍵、強打、グリッサンド等の押鍵が想定される。ところが、上記従来のスイッチ構造では、固定接点の対の配線パターンの形態の設定においてこれらの事情を考慮していなかったため、鍵及びその押鍵態様によっては、押鍵時に鍵の下面（アクチュエータ部）と基板上の固定接点との平行状態を確保できず、そのため隣接する配線パターン同士の短絡作用が不正確となり、チャタリング現象の発生等、押鍵検出が不正確になる場合があるという問題があった。
【０００６】
図５は、従来の鍵盤装置のスイッチ構造における鍵、鍵支持部、スイッチ部、押鍵位置の関係を説明するための鍵の部分平面図である。同図（ａ）はＤ鍵、同図（ｂ）はＣ鍵、同図（ｃ）は黒鍵（例えばＣ＃鍵）を示す。
【０００７】
白鍵であるＤ鍵１０１は、ヒンジ部１０２を介して基端部１０３により上下方向へ回動自在に支持されている。ヒンジ部１０２は合成樹脂で鍵と一体に形成され、薄板状に形成されている。同図（ｂ）に示すＣ鍵及び同図（ｃ）に示す黒鍵も同様に構成される。
【０００８】
Ｄ鍵１０１の下方には可動接点１０４と固定接点１０５とから構成されるスイッチ部が設けられる。該スイッチ部は、Ｄ鍵１０１の幅狭部１０１ｂ（幅広部１０１ａではなく）の鍵並び方向における略中心位置に設けられる。そして、Ｄ鍵１０１の下面には、スイッチ部に対向する位置にアクチュエータ部（図５には図示せず、図６を参照）が形成されており、押鍵動作に伴い、このアクチュエータ部を介して可動接点１０４が押下駆動される。固定接点１０５の一対の配線パターンにおける各細片の延設方向は、同図（ａ）に示すように鍵の長手方向に沿って設定され、両パターンの細片が隣接し、重なることなく噛み合う形となっている。
【０００９】
かかるＤ鍵１０１の構成において、左右いずれかの端部で押鍵、例えば同図（ａ）に示す位置Ｐ１０１で押鍵された場合は、鍵並び方向におけるスイッチ部と位置Ｐ１０１との距離が最大となる。しかも押鍵によりＤ鍵１０１の下面は可動接点１０４から上方へ反力を受ける。そのため、演奏者からみて時計方向の回転モーメントが発生するが、その際、強打、すなわち押鍵力が著しく強かった場合は、回転モーメントもそれに応じて大きくなる。
【００１０】
図６は、従来の鍵盤装置のスイッチ構造において可動接点が傾いた状態を示すスイッチ部近傍の奏者側からみた断面図である。
【００１１】
上記のように回転モーメントが大きくなった場合は、同図に示すように、Ｄ鍵１０１が同図時計方向（方向Ｍ）に傾き、従って、アクチュエータ部が傾き、その結果、可動接点１０４もそれに応じて時計方向に傾いた状態で固定接点１０５に当接することになる。このような状態では、鍵並び方向に関してみれば、可動接点１０４は微少な範囲（点当たり状態に近い）でしか固定接点１０５に当接せず、そのため固定接点１０５の一方の配線パターン１０５ａと他方の配線パターン１０５ｂとをうまく短絡することができず、短絡されなかったり、短絡が遅れたりする。そのためチャタリング現象が発生しやすく、押鍵動作の検出精度が悪化する。
【００１２】
このような現象は、他の鍵でも生じ得る。例えば図５（ｂ）に示すＣ鍵でも、対応するスイッチ部は鍵の幅広部ではなく幅狭部の略中央に設けられる点はＤ鍵１０１の場合と同様である。Ｃ鍵はＬ字状をしているので、Ｄ鍵１０１の場合よりもさらに条件が悪く、鍵の右端部（同図（ｂ）に示す位置Ｐ１０１）を強く押鍵した場合は一層大きい回転モーメントが発生し、上記不具合の程度はＤ鍵１０１の場合よりも大きい。
【００１３】
ところで、黒鍵では、鍵幅自体が白鍵に比し狭く、白鍵より突出しているため、ほとんど真上を打撃され、そのため演奏者からみた時計方向の回転モーメントはほとんど発生しない。しかしながら、例えばホ長調等黒鍵多用曲で連続して黒鍵を使用する頻度が高い場合は、運指の関係から黒鍵の後端部の打撃が増える。そして、曲の盛り上がり等によって黒鍵の強打が後端部でなされることが多くなる。これを図で説明する。
【００１４】
図５（ｃ）に示すように、基端部１０３に近い鍵１０１の後部（例えば同図（ｃ）に示す位置Ｐ１０２）を押鍵すると、ヒンジ部１０２は上述のように薄板状で、上下方向に対する剛性は低く設定されているので、ヒンジ部１０２は特殊な変形をする。押鍵により鍵の下面は可動接点１０４から上方へ反力を受け、特に位置Ｐ１０２で示す鍵後部を強打した場合は、通常の押鍵時に比べると、可動接点への当接時における鍵の手前側が開く状態、すなわち鍵盤の右方からみて時計方向に鍵が回転変位した状態となる。これは、強打の瞬間は基端部１０３を固定した片持ちはりのきれいな曲げ変形に加えて、ヒンジ部１０２の前部（鍵後部の近傍）がへこみ、これに連動してヒンジ部１０２の全体が波状（Ｓの字を横にしたような形状）に座屈変形するためと考えられる。
【００１５】
このような押鍵態様では、黒鍵の鍵盤の右方からみた時計方向への傾きに伴い、アクチュエータ部、可動接点１０４も同方向に傾く。ここで、黒鍵に対応する固定接点１０５の一対の配線パターンにおける両細片が鍵の長手方向に沿って延設されている場合は大きな問題ない。しかし、両細片が鍵並び方向に沿って延設されている場合は、前記Ｄ鍵１０１やＣ鍵の場合と同様の不具合が方向を異にして生じることになる。
【００１６】
このように、従来のスイッチ構造では、鍵毎の設計的事情や押鍵態様に起因して、隣接する配線パターン同士の短絡作用が不正確となったり、あるいは可動接点と固定接点との当接状態が不十分となったりして、チャタリング現象の発生等、押鍵検出が不正確になる場合があるという問題があった。
【００１７】
本発明は上記従来技術の問題を解決するためになされたものであり、その目的は、広範囲の押鍵態様において押鍵動作の検出精度を向上することができる鍵盤装置のスイッチ構造を提供することにある。
【００１８】
【課題を解決するための手段】
上記目的を達成するために本発明の請求項１の鍵盤装置のスイッチ構造は、鍵支持部を支点として上下方向に回動可能な複数の白鍵及び黒鍵と、基板に敷設した配線パターンから成り前記複数の各鍵に対応する短冊細片状の固定接点と、押鍵により駆動され前記複数の各鍵に対応する可動接点とを備え、前記可動接点が前記固定接点に当接することで前記各鍵の押鍵動作を検出するようにした鍵盤装置のスイッチ構造であって、前記複数の各鍵が白鍵であるか黒鍵であるかに応じて、あるいは、前記各鍵の形状や想定される押鍵位置に基づく対応する可動接点の傾き発生方向に応じて、前記各鍵に対応する固定接点の細片長軸の方向を規定することで、少なくとも２種方向に前記配線パターンの形態を設定したことを特徴とする。
【００１９】
この構成により、複数の各鍵が白鍵であるか黒鍵であるかに応じて、あるいは、前記各鍵の形状や想定される押鍵位置に基づく対応する可動接点の傾き発生方向に応じて、前記各鍵に対応する固定接点の細片長軸の方向が規定されることで、少なくとも２種方向に配線パターンの形態が設定される。例えば、固定接点と可動接点との接点当接時に固定接点に対する可動接点の成す角度が最も不適当となる状況を想定した上で、接点当接時に、可動接点がその角度が不適当ながらも対の配線パターンをより安定して短絡し得るように対の配線パターンの形態を設定することにより、チャタリング等が最も発生しやすい押鍵態様に対して配線パターンの短絡を効果的に確保することができる。よって、広範囲の押鍵態様において押鍵動作の検出精度を向上することができる。例えば、白鍵を左右端部で押鍵すると、押鍵位置と可動接点の位置との鍵並び方向におけるずれ量が大きくなり、演奏者からみて左右方向（時計方向または反時計方向）への可動接点の傾きが大きくなる。Ｃ，Ｅ，Ｆ，Ｂ鍵のようなＬ字状をした鍵では、可動接点の位置及び鍵支持部の位置が鍵並び方向における鍵の中心軸から偏心しているため、上記のような傾向が一層強くなる。また、黒鍵では通常、可動接点が鍵の先端側（奏者側）近くに位置しており、鍵支持部の剛性が低いものにおいて鍵支持部に近い位置で押鍵された場合は、鍵盤の右方からみた時計方向への可動接点の傾きが大きくなる。これらを考慮して、各鍵において押鍵態様によって想定され得る可動接点が最も傾く状況に対して配線パターンの短絡がより確保されやすい形態に設定すればよい。例えば、細片を、白鍵では鍵並び方向に延設し、黒鍵では鍵の長手方向に延設するのが効果的な場合が多い。
【００２０】
また、より好ましい実施の形態にあっては、鍵支持部を支点として上下方向に回動可能な複数の鍵と、これらの各鍵に対応して基板に敷設した対の配線パターンからなる長尺（短冊細片の１つ）で構成される固定接点と、押鍵により駆動され前記複数の各鍵に対応する可動接点とを備え、前記可動接点が前記固定接点に当接して前記対の配線パターンを短絡することにより前記各鍵の押鍵動作を検出するようにした鍵盤装置のスイッチ構造であって、前記複数の鍵の少なくとも２種に対応して配線パターンの長尺方向を各々設定した配線パターンの形態を提唱する。これによって、あらゆる場合の接点間当接動作がより安定的になる。
【００２１】
さらにまた、より好ましい実施の形態にあっては、請求項１の構成において、固定接点の細片長軸方向を複数の各鍵毎に異ならせるもののうち、この複数の各鍵対応の固定接点の形態は、白鍵及び黒鍵の各固定接点にそれぞれ対応する形態であるものを提唱する。これによって、特殊な押鍵状態においても押鍵時のチャタリング等が発生しにくくなり、実験的にも著しくその発生確率を下げることができた（従来に比べ１／１０程度に）。
【００２２】
【発明の実施の形態】
以下、本発明の実施の形態を図面を参照して説明する。
【００２３】
図１は、本発明の一実施の形態に係るスイッチ構造が適用される鍵盤装置を上方からみた部分平面図である。図２は、図１のＡ−Ａ線に沿う断面図である。
【００２４】
本実施の形態では、鍵先端方向、すなわち鍵の演奏者側を前方と称し、鍵後端方向、すなわち演奏者からみて鍵の基端部側を後方と称する。
【００２５】
本鍵盤装置の鍵ユニットは、オクターブ毎に構成され、全体は図示しないが、合成樹脂で各々一体成形された黒鍵ユニット、及び２分割された白鍵ユニットから成る。黒鍵、白鍵の各ユニットは共通基端部４（鍵支持部）にて互いに積層されており、共通基端部４は３層構造となっている（図２）。
【００２６】
図１に示すように、白鍵１（Ｃ鍵）、黒鍵３（Ｃ＃鍵）及び白鍵２（Ｄ鍵）はそれぞれ接続部５、接続部６及び接続部７を介して共通基端部４に接続されている。接続部５は、後半部である接続部垂直部５ｂ及び前半部である接続部水平部５ａから成り、垂直部５ｂ及び水平部５ａはいずれも薄板状である。垂直部５ｂは白鍵１を鍵並び方向に揺動自在にし、水平部５ａは白鍵１を押鍵方向（上下方向）に揺動自在にする。接続部６、７の垂直部６ｂ、７ｂ及び水平部６ａ、７ａは、接続部５の垂直部５ｂ及び水平部５ａと同様に構成されている。
【００２７】
図２に示すように、白鍵２には、アクチュエータ部９が備えられる。アクチュエータ部９は、各白鍵２の下面に設けられ、白鍵２と一体に形成されている。同図では、白鍵１、黒鍵３の各アクチュエータ部９は隠れて見えないが、白鍵２のアクチュエータ部９と同様に構成される。白鍵２の両側壁の前部よりの下面には、Ｌ字状の垂下片２ｃが垂設されている。
【００２８】
共通基端部４は、フレーム１３の後部に固定される。フレーム１３の前部にはフェルト製のストッパ１２が取付られている。ストッパ１２は、押鍵時に白鍵２の下面と当接して白鍵２の押鍵下限位置を規制する。白鍵２の垂下片２ｃに対応するフレーム１３の部分には、キーガイド１１が突設されている。キーガイド１１は、白鍵２の２枚の垂下片２ｃ間に適当なクリアランスをもって挟まれ、両垂下片２ｃを介して白鍵２の上下方向の揺動時に白鍵２の鍵並び方向への動きを規制する。フレーム１３の略中央部にはスイッチ基板１０が取り付けられている。
【００２９】
基板１０の前部にはストッパ１４が設けられ、ストッパ１４は、非押鍵時に白鍵２の垂下片２ｃと当接して白鍵２の押鍵上限位置を規制する。基板１０上にはさらに、押鍵動作を検出するためのスイッチ部２０が設けられる。スイッチ部２０は、アクチュエータ部９が対向するような位置に配設される。基板１０、キーガイド１１、ストッパ１２、ストッパ１４及びスイッチ部２０は、各鍵に対応して設けられる。
【００３０】
白鍵１、２に対応する各スイッチ部２０は、図１に示すように白鍵１、２の幅狭部１ｂ、２ｂの鍵並び方向における略中心位置にそれぞれ配置される。黒鍵３に対応する各スイッチ部２０は、黒鍵３の鍵並び方向における略中心位置に配置される。各スイッチ部２０の鍵長手方向における位置は、全白鍵、黒鍵について略同一である。
【００３１】
図３は、黒鍵３に対応するスイッチ部２０近傍を前方からみた断面図である（非押鍵状態）。
【００３２】
黒鍵３に対応するスイッチ部２０は、可動接点８と基板１０上に敷設された固定接点１５Ｂとから成る（以下、黒鍵に対応するものを特に固定接点１５Ｂ、白鍵に対応するものを特に固定接点１５Ｗと称する）。可動接点８は、合成樹脂で成り、弾性を有し、その下部には導電材が固着されている。可動接点８の下面８ｂは円状に形成されている。可動接点８は、非押鍵状態において、その上方に膨出した部分の上面８ａがアクチュエータ部９の下面によりわずかに押圧されており、下面８ｂは固定接点１５と離間している。可動接点８は、黒鍵３の押鍵動作により駆動され、黒鍵３の押下に伴いそのスカート部８ｃが潰れることで下降し、下面８ｂが固定接点１５Ｂと当接する。
【００３３】
図４は、固定接点１５の平面図であり、同図は図１に示す鍵ユニットの部分平面図に対応して示してある。
【００３４】
黒鍵３に対応する固定接点１５Ｂは、同図に示すように、カーボンから成る一対の配線パターン１５Ｂａ、１５Ｂｂで構成される。各パターン１５Ｂａ、１５Ｂｂはいずれも、図３及び図４に示すように、その短冊細片１５ＢａＬ、１５ＢｂＬを櫛歯状に複数延設して成り、両パターンの細片１５ＢａＬ、１５ＢｂＬが１本ずつ略平行に隣接し、重なることなく噛み合う形となっている。各細片の延設方向は、図４に示すように鍵の長手方向に沿って設定されている。
【００３５】
黒鍵３の押鍵により、可動接点８の下面８ｂが固定接点１５Ｂに当接すると、配線パターン１５Ｂａ、１５Ｂｂが短絡し鍵スイッチがオンとなる。可動接点８が固定接点１５Ｂに離接することで、黒鍵３の離鍵動作が検出される。
【００３６】
可動接点８の下面８ｂが固定接点１５に当接するときに、アクチュエータ部９の下面、可動接点８の上面８ａ、下面８ｂ及び基板１０（乃至固定接点１５Ｂ）が互いに平行になるように、これら各要素の角度が設定されており、これにより、通常の押鍵態様における押鍵動作の検出精度が最良となるように設定されている。
【００３７】
白鍵１、白鍵２に対応するスイッチ部２０も黒鍵３に対応するスイッチ部２０と同様に構成され、可動接点８及び固定接点１５Ｗとから成る。しかし、固定接点１５Ｗにおける各パターン１５Ｗａ、１５Ｗｂの各細片１５ＷａＬ、１５ＷｂＬの延設方向は、固定接点１５Ｂとは異なり、図４に示すように鍵並び方向に沿って設定されている。固定接点１５の構成は、図示しない他の白鍵については白鍵１、２のものと同様であり、他の黒鍵については黒鍵３のものと同様である。
【００３８】
このように細片の延設方向を鍵に応じて設定したのは、悪条件下においても各パターンが短絡されやすいようにするためであり、その詳細は後述する。
【００３９】
かかる構成において、通常の押鍵態様（押鍵強さ、押鍵位置、押圧方向等）では、上述したように、白鍵１、２、黒鍵３のいずれについても、可動接点８の下面８ｂが固定接点１５に対して面当たり状態で当接する。従って、各パターンの細片１５ＢａＬ、１５ＢｂＬ（または１５ＷａＬ、１５ＷｂＬ）は複数本が同時に可動接点８の下面８ｂと当接し得るので、確実に短絡され、正確な押鍵検出がなされる。
【００４０】
次に通常でない押鍵状態を考える。まず黒鍵３の押鍵態様によって黒鍵３に対応する可動接点８が最も大きく傾く状況として、共通基端部４近傍の位置（例えば図１に示す点Ｐ３）を強打した場合が考えられる。
【００４１】
点Ｐ３の位置を強打すると、スイッチ部２０からアクチュエータ部９を介して上方への強い反力を受ける。スイッチ部２０は黒鍵３の先端部に比較的近い位置に配設されており、しかも、接続部６の水平部６ａは薄板状で剛性がない。そのため、押鍵力とスイッチ部２０から受ける反力とによって、黒鍵３の手前側が開く状態、すなわち通常時に比し、鍵盤装置の右方からみて時計方向に黒鍵３が回転変位した状態となる。この場合は、可動接点８は手前側が浮くような形で傾き（図６でいうと、同図左方を前方とした場合に相当）、可動接点８の円状の下面８ｂの後部だけが固定接点１５Ｂに当接する。当接面は、図７に示すように、鍵並び方向に沿う弧状の線状（ＢＲ）になると想定される。
【００４２】
ところが、上述したように固定接点１５Ｂの各細片１５ＢａＬ、１５ＢｂＬが鍵の長手方向に沿って延設されており、上記弧状の線状（ＢＲ）と各細片１５ＢａＬ、１５ＢｂＬとが、図７に示すように平面視において略直角を成すことになる（各細片１５ＢａＬ、１５ＢｂＬは鍵長手方向に沿い、弧状の線状（ＢＲ）は鍵並び方向に沿っているので略直角）ので、隣接する細片１５ＢａＬ、１５ＢｂＬが共に可動接点８の下面８ａと同時に当接しやすく、両パターン１５Ｂａ、１５Ｂｂが比較的短絡されやすい。従って、最も可動接点８が傾く好ましくない押鍵態様においても固定接点１５Ｂの短絡が確保される。
【００４３】
白鍵１、２は、黒鍵に挟設され黒鍵は白鍵よりも表面が突出しているので、白鍵１、２の幅狭部１ｂ、２ｂはその後端部を弱打（ゆっくり押鍵）されることはあっても強打（速く押鍵）されることはほとんどない。従って、白鍵１の押鍵態様によって白鍵１に対応する可動接点８が最も大きく傾く状況として、白鍵１の右前端部（例えば図１に示す点Ｐ１）を強打した場合を考えてみる。白鍵２に対応するスイッチ部２０（乃至可動接点８）と点Ｐ１とは、鍵並び方向における位置がかなりずれているので、その距離と押鍵力によって前方からみて時計方向の回転モーメントが生じる。しかも接続部５は剛性が低い。そのため、白鍵２が同方向に傾き、それに従って可動接点８も傾く。よって、この場合は、可動接点８は左側が浮くような形で傾き（図６でいうと同図左方を左方とした場合に相当）、可動接点８の円状の下面８の右部だけが固定接点１５Ｗに当接する。すなわち、上記した黒鍵３と同様の状況が、前後方向でなく左右方向において生じることになる。当接面は鍵の長手方向に沿う弧状の線状になると想定される。
【００４４】
ところが、上述したように固定接点１５Ｗの各細片１５ＷａＬ、１５ＷｂＬが鍵並び方向に沿って延設されており、上記弧状の線状と各細片１５ＷａＬ、１５ＷｂＬとが、略直角を成すことになるので、隣接する細片１５ＷａＬ、１５ＷｂＬが共に可動接点８の下面８ａと同時に当接しやすく、両パターン１５Ｗａ、１５Ｗｂが比較的短絡されやすい。従って、黒鍵３の場合と同様に、最も可動接点８が傾く好ましくない押鍵態様において固定接点１５Ｗの短絡が確保される。
【００４５】
白鍵２については、白鍵２の押鍵態様によって白鍵２に対応する可動接点８が最も大きく傾く状況として、白鍵２の左または右前端部（例えば図１に示す点Ｐ２）を強打した場合が考えられる。白鍵２は白鍵１のようにＬ字状でなく、幅広部２ａと幅狭部２ｂが鍵並び方向においてほぼ同心であるから、スイッチ部２０と点Ｐ２との鍵並び方向における距離は白鍵１の場合に比べれば小さいので、傾きの程度は白鍵１の場合ほど大きくないものの、点Ｐ２を強打した場合に可動接点８の最大の傾きが生じると考えられる。よって、白鍵２においても、白鍵１の場合と同様に固定接点１５Ｗを構成したことで、短絡が容易になっている。
【００４６】
なお、白鍵１、白鍵２においても押鍵位置によっては可動接点８の前後方向への傾きも生じるが、黒鍵３における点Ｐ３のような極めて後部の位置での押鍵は前述の理由によりほとんどなく、幅広部１ａ、２ａでの押鍵が大多数を占める。従って、本実施の形態のように固定接点１５Ｗの細片の延設方向を鍵並び方向への傾きに着目して定めるのが適切である。逆に黒鍵３においては、左右方向への傾きよりも前後方向への傾きの方が大きい。従って、黒鍵３の場合は、本実施の形態のように固定接点１５Ｂの細片の延設方向を前後方向への傾きに着目して定めるのが適切である。
【００４７】
本実施の形態によれば、白鍵、黒鍵のそれぞれについて、非通常の押鍵態様をも考慮して、可動接点８が固定接点１５に対して最大の傾きとなる最悪の状況を想定し、固定接点１５の配線パターンの各細片１５ＢａＬ、１５ＢｂＬ、１５ＷａＬ、１５ＷｂＬを可動接点８が最大の傾きとなる方向に沿って延設したので、可動接点８と固定接点１５の当接長さの長い方向が、固定接点１５の各細片１５ＢａＬ、１５ＢｂＬ、１５ＷａＬ、１５ＷｂＬに対して略直角方向になる。従って、最悪の状況下でも配線パターンをより安定して短絡させることができる。すなわち、チャタリング等が最も発生しやすい押鍵態様に対して配線パターンの短絡を効果的に確保することができ、広範囲の押鍵態様において押鍵動作の検出精度を向上することができる。
【００４８】
本発明は、本実施の形態における接続部５、６、７のように、鍵支持部の剛性が低いタイプの鍵盤装置に特に有用であるが、鍵支持部の構成にかかわらず、想定され得る押鍵態様によって可動接点が傾くような鍵盤装置に広く適用可能である。
【００４９】
なお、固定接点１５の配線パターンは、櫛歯状に形成したが、可動接点８の傾きに応じて短絡が確保されやすい形態であれば、他の形態でもよい。その場合、主に、押鍵が想定され得る範囲とスイッチ部２０の位置とに基づいて形態を設定すればよい。例えば、悪条件下で可動接点８と固定接点１５との当接長さが長くなる方向に関して細片が密となるように設定すればよい。
【００５０】
また、固定接点１５の各細片１５ＢａＬ、１５ＢｂＬ、１５ＷａＬ、１５ＷｂＬの延設方向は、例示したものに限られない。例えば、実際の押鍵態様は様々であり、上記した鍵の左右端部や後端部での強打のほか、グリッサンド等のように鍵並び方向の力を生じさせやすい態様もある。また、スイッチ部２０の各鍵との相対的な位置関係や鍵の形状（幅、長さ）も鍵盤装置によって異なる。可動接点８の最大の傾きが生じる方向は、これらあらゆるパラメータの組み合わせによって決まるものであるから、これらを考慮して細片の方向を個別具体的に設定するのが望ましい。例えば、白鍵について細片を全て同一の設定にする必要はなく、各白鍵毎に異なる設定をしてもよい。
【００５１】
なお、本発明は、上記例示した１メイク式のスイッチに限らず、図８に示すような２メイク式のスイッチにも適用可能である。同図に示すパターンでは、外側のパターンの短冊細片については延設方向が一様でないが、全体を平均して考えれば、概して同図左右方向（方向Ｆ）に沿っているといえる。従って、固定接点の各短冊細片の方向としては、細片８１を基準と考えて細片８１の延設方向が所望の方向になるように設定すればよい。
【００５２】
なお、本発明は、短冊状の１対の配線パターンを短絡することにより押鍵動作を検出するタイプのスイッチに限らず、固定接点と可動接点とが当接して直接導通するタイプのスイッチにも適用可能である。この場合でも、固定接点が例えば長方形であれば、その長手方向を上記実施の形態における短冊細片の延設方向と同様に考え、固定接点の長手方向に対して、固定接点と可動接点との当接部の長い方向が略直角となるように設定すれば、上記実施の形態と同様な効果を得ることができる。
【００５３】
なお、配線パターンの配向を、音高に応じて設定してもよい。例えば、鍵盤が演奏者側に凹となるように扇状に湾曲した形状をした鍵盤装置では、音高によって配向を設定するのが望ましい。また、配線パターンの配向を、オクターブ毎に設定してもよい。例えば低域、中域、高域というように、各音域のオクターブ毎に配向を設定する。
【００５４】
なお、Ｃ鍵とＤ鍵のように、隣り合う鍵同士について、対応する固定接点の配線パターンの配向を変えるようにしてもよい。例えばＬ字状（あるいは逆Ｌ字状）の傾向が強いＣ、Ｅ、Ｆ、Ｂ鍵については上記例示した固定接点１５Ｗのように鍵並び方向に各細片を延設し、これら以外の黒鍵を含むＣ＃、Ｄ等の鍵については、上記例示した固定接点１５Ｂのように鍵長手方向に各細片を延設してもよい。
【００５５】
【発明の効果】
以上説明したように、本発明の請求項１に係る鍵盤装置のスイッチ構造によれば、広範囲の押鍵態様において押鍵動作の検出精度を向上することができる。
【図面の簡単な説明】
【図１】本発明の一実施の形態に係るスイッチ構造が適用される鍵盤装置を上方からみた部分平面図である。
【図２】同形態における図１のＡ−Ａ線に沿う断面図である。
【図３】同形態における黒鍵に対応するスイッチ部近傍を前方からみた断面図である（非押鍵状態）。
【図４】同形態における図１に示す鍵ユニットの部分平面図に対応して示した固定接点の平面図である。
【図５】従来の鍵盤装置のスイッチ構造における鍵、鍵支持部、スイッチ部、押鍵位置の関係を説明するための鍵の部分平面図である。
【図６】従来の鍵盤装置のスイッチ構造において可動接点が傾いた状態を示すスイッチ部近傍の奏者側からみた断面図である。
【図７】固定接点と可動接点との当接状態の一例を示す図である。
【図８】２メイク式固定接点パターンの一例を示す図である。
【符号の説明】
１  白鍵、  ２  白鍵、  ３  黒鍵、  ４  共通基端部（鍵支持部）、  ５、６、７  接続部、  ５ａ、６ａ、７ａ  接続部水平部、  ５ｂ、６ｂ、７ｂ  接続部垂直部、  ８  可動接点、  ９  アクチュエータ部、  １０  スイッチ基板、  １５  固定接点、  １５Ｂａ、１５Ｂｂ、１５Ｗａ、１５Ｗｂ  配線パターン、  １５ＢａＬ、１５ＢｂＬ、１５ＷａＬ、１５ＷｂＬ  短冊細片、  ２０  スイッチ部
【図１】
0003541729.tif 000002
【図２】
0003541729.tif 000003
【図３】
0003541729.tif 000004
【図４】
0003541729.tif 000005
【図５】
0003541729.tif 000006
【図６】
0003541729.tif 000007
【図７】
0003541729.tif 000008
【図８】
0003541729.tif 000009